(57)【特許請求の範囲】
【請求項１】
筐体内に熱交換器と送風ファンＡとを具備し、前記筐体の円弧の部分に吹き出し口を有する略４分の１円弧の扇形形状をした冷暖房用室内ユニットと、筐体内に空気清浄用フィルターと送風ファンＢとを具備し、筐体の円弧の部分に吹き出し口を有する略４分の１円弧の扇形形状をした空気清浄機ユニットとを、前記各々のユニットの互いに隣接する面にそれぞれ係合する据付板と前記据付板に挟まれる据付具とで連結させて壁面または天井面に取り付けることを特徴とするセパレート型空気調和機。
【請求項２】
送風ファンＡがクロスフローファンであることを特徴とする請求項１記載のセパレート型空気調和機。
【請求項３】
送風ファンＢがターボファンまたはシロッコファンであることを特徴とする請求項１または２記載のセパレート型空気調和機。
【発明の詳細な説明】
【０００１】
【発明の属する技術分野】
本発明は、冷暖房を行うヒートポンプのセパレート型空気調和機について室内機の構成に関するものである。
【０００２】
【従来の技術】
一般的な空気調和機の室内機は図９に示すように、室内機本体１が室内の壁面に出っ張った状態で取り付けられていた。図１０はＤ−Ｄ線での縦断面図であり、その構成は風上側から順に前面グリル２、熱交換器３、ケーシング４とスタビライザー５で囲まれた場所に配置されたクロスフローファン６、風向き変更羽根７を有した吹き出し口よりなっていた。モータ（図示せず）でクロスフローファン６を回転させることにより送風作用を生じさせ、前述の順に空気が矢印で示したように流れて冷暖房、除湿を行っていた。
【０００３】
【発明が解決しようとする課題】
しかし、前記の構造を有するセパレート型空気調和機の室内機は本来部屋の中央壁面に設置されることを必要条件として設計されているが、部屋の壁に出張った状態で設置されるため、在室者に圧迫感を与えるとともに室内インテリアとの融合性に問題点があった。その結果市場の実態は部屋の隅に配置されることが約７割ある。また、大きなリビングおよびビル会議室に対しても部屋の壁面を利用して配置されることが多く、この時従来の室内機構造では風向き変更羽根をいくら工夫しても限界があり、大きな部屋全体を急速に温度ムラなく冷暖房することは無理であった。
【０００４】
したがって我々はインテリア性に優れ、部屋隅からでも十分な気流制御が可能な４分の１円弧の扇形形状をした冷暖房用室内ユニットをすでに提案してきている。これは図１１に示すように室内機本体１０が室内の隅に取り付けられることを想定して設計したものである。図１２は４分の１円弧の扇形形状をした冷暖房用室内ユニットを下面から見た図であり、図１３はＥ−Ｅ線での縦断面図であり、その構成は下面に吸込みグリル１１を有し、円弧の部分に吹き出し口１２を有している。吹き出し口１２には円弧に沿った形で風向き変更羽根１３が設けられている。クロスフローファン１４が回転し送風作用をしている時、下面の吸い込みグリル１１から空気を吸入し、２分割で構成される熱交換器１５を経由して熱交換され、円弧状の吹き出し口１２へと空気が流れ、送風作用をする。１６は熱交換器の凝縮水を処理する水受け皿、１７は傾斜部分の熱交換器の凝縮水を処理して水受け皿へ誘導するトイである。
【０００５】
スタビライザ１８とリアガイダ１９からなる吹き出し口１２は円弧状中央部断面では図１３のようにほぼ水平に向いて吹き出しており、両端部断面では下方向を向いて吹き出している。図１３のＩ部は完全に水平であり、吹き出し口１２のＥ−Ｅ断面からＦ−Ｆ断面に近づくにつれてＩ部が徐々に後退する。またＦ−Ｆ断面に近いところでは吹き出し口がほぼ下方に向くようになり、徐々に３次元的変化をして吹き出し口の高さを水平に保っている。このような構成で壁近傍に沿って流れる空気は下方を向き、部屋中央部へ向かって流れる空気は水平方向を向くこととなり、部屋全体にムラなく空気流れが到達しやすく、快適性も向上した。
【０００６】
一方業務用空調分野では部屋の中央部または数カ所に点在させて天井ビルトイン型または天井吊り下げ型を配置する場合もあるが、気流の振り分け制御にさらなる改善が要望されていた。天井吊り下げ型はデザイン的にもあまり好感をもたれていなかった。また、近年このような空気調和機に対しても本格的な空気清浄機能を要求されるニーズが高まってきている。
したがって、本発明はこのような問題を解決するとともに、従来提案していた冷暖房用室内ユニットと、同等の形状を有する空気清浄ユニットを連結させることで、大きな部屋でのインテリア性と融合し、中央および隅に配置されるのに適した室内機において十分な送風能力、気流制御を提案するとともに、合わせて十分な空気清浄機能をも提供するものである。
【０００７】
【課題を解決するための手段】
上記課題を解決するために本発明は、筐体内に熱交換器と送風ファンＡとを具備し、前記筐体の円弧の部分に吹き出し口を有する略４分の１円弧の扇形形状をした冷暖房用室内ユニットと、筐体内に空気清浄用フィルターと送風ファンＢとを具備し、筐体の円弧の部分に吹き出し口を有する略４分の１円弧の扇形形状をした空気清浄機ユニットとを、前記各々のユニットの互いに隣接する面にそれぞれ係合する据付板と前記据付板に挟まれる据付具とで連結させて壁面または天井面に取り付けたものである。
【０００８】
上記構成によって、、大きな部屋の冷暖房機能と空気清浄機能を１つのユニットとして達成するとともに、部屋のインテリア性に合わせた生活提案が可能となる。
【０００９】
【発明の実施の形態】
上記の課題を解決するための請求項１記載の発明は、筐体内に熱交換器と送風ファンＡとを具備し、前記筐体の円弧の部分に吹き出し口を有する略４分の１円弧の扇形形状をした冷暖房用室内ユニットと、筐体内に空気清浄用フィルターと送風ファンＢとを具備し、筐体の円弧の部分に吹き出し口を有する略４分の１円弧の扇形形状をした空気清浄機ユニットとを、前記各々のユニットの互いに隣接する面にそれぞれ係合する据付板と前記据付板に挟まれる据付具とで連結させて壁面または天井面に取り付けるセパレート型空気調和機である。
【００１０】
請求項２記載の発明は、送風ファンＡがクロスフローファンであるセパレート型空気調和機である。
【００１１】
請求項３記載の発明は、送風ファンＢがターボファンまたはシロッコファンであるセパレート型空気調和機である。
【００１２】
以下、本発明の一実施例について詳細な説明を行う。
【００１３】
（実施例１）
図１は４分の円弧の扇形形状をした空気調和機の冷暖房用室内ユニット７０と、この冷暖房用室内ユニット７０とほぼ同様な外観形状を有する空気清浄機ユニット７１を連結させて、部屋中央壁面に設置した場合の外観斜視図である。図２は下面方向から見た平面外観図である。図３は冷暖房用室内ユニット７０と空気清浄機ユニット７１の連結状態を、より具体的に示すものである。冷暖房用室内ユニット７０と空気清浄機ユニット７１はエアコン据え付け板２３と据え付け具２４を介してしっかりと半円状態に連結され、外観的には半円状を有する構造体を形成する。
【００１４】
冷暖房用室内ユニット７０は図１１〜１３に示した内部構成物品を有している。図４は空気清浄機ユニット７１のＧ−Ｇ線での縦断面図であり、その構成は下面に吸込みグリル７３を有し、円弧の部分に吹き出し口７４を有している。吹き出し口７４には円弧に沿った形で風向き変更羽根７５が設けられている。ターボファン７６が回転して送風作用をしている時、下面の吸い込みグリル７３から空気を吸入し、高性能ＨＥＰＡフィルター７７、光再生吸着フィルター７８を経て充分に除塵、脱臭された空気が後方に配設されたターボファン７６を通じてスタビライザ７９とリアガイダ８０からなる吹き出し口７４を経てから室内に吹き出される。吹き出し口７４は円弧状中央部断面では図４のように、ほぼ水平に向いて吹き出しており、両端部断面では下方向を向いて吹き出している。
【００１５】
またＪ部は完全に水平であり、吹き出し口７４のＧ−Ｇ断面からＨ−Ｈ断面に近づくにつれてＪ部が徐々に後退する。またＨ−Ｈ断面に近いところでは吹き出し口がほぼ下方に向くようになり、徐々に３次元的変化をして吹き出し口の高さを水平に保っている。このような吹き出し口の気流制御構成は冷暖房用室内ユニット７０と同様な構成となっている。その結果快適な冷暖房効果と十分な空気清浄機能を提供できる。
【００１６】
（実施例２）
図５は４分の円弧の扇形形状をした冷暖房用室内ユニット９０、９２と空気清浄機ユニット９１を連結させて、部屋中央壁面に設置した場合の外観斜視図である。図６は下面方向から見た平面外観図である。冷暖房用室内ユニット９０と９２には図１１〜１３に示した内部構成物品を有している。空気清浄機ユニット９１は下面の吸い込みグリルから空気を吸入し、高性能ＨＥＰＡフィルター、光再生吸着フィルターを経て充分に除塵、脱臭された空気が後方に配設されたターボファンを通じて吹き出し口から室内に吹き出される。
【００１７】
また、冷暖房用室内ユニット９０と９２については下面の吸い込みグリルから空気を吸入し、２分割で構成される熱交換器を経由して熱交換され、円弧状の吹き出し口へと空気が流れ、冷暖房に寄与する送風作用をする。その結果快適な冷暖房効果と十分な空気清浄機能を提供できる。また、このような３／４円形状については中央部を空気清浄ユニットとすることが望ましい。
【００１８】
（実施例３）
図７は４分の円弧の扇形形状をした冷暖房用室内ユニット１００、１０２と空気清浄機ユニット１０１、１０３を連結させて、部屋中央部の天井面に設置した場合の外観斜視図である。図８は下面方向から見た平面外観図である。冷暖房用室内ユニット１００と１０２には図１１〜１３に示した内部構成物品を有している。冷暖房用室内ユニット１０１と１０３は下面の吸い込みグリルから空気を吸入し、高性能ＨＥＰＡフィルター、光再生吸着フィルターを経て充分に除塵、脱臭された空気が後方に配設されたターボファンを通じて吹き出し口から室内に吹き出される。
【００１９】
また、冷暖房用室内ユニット１００と１０２については下面の吸い込みグリルから空気を吸入し、２分割で構成される熱交換器を経由して熱交換され、円弧状の吹き出し口へと空気が流れ、冷暖房に寄与する送風作用をする。その結果快適な冷暖房効果と十分な空気清浄機能を提供できる。また、このような略円形状に構成した場合については、互い違いとなるように空気清浄ユニットを配置することが望ましい。
【００２０】
上記実施例での光再生吸着フィルターは、高シリカ比のゼオライトを主吸着成分として微粒子のアナターゼ型二酸化チタンを高分散させることで太陽光および紫外線ランプ等による再生が可能であった。再生させるサイクルとして特に限定されないが、利用者が吸着性能に不満がないレベルで適宜実施すればよい。具体的には吸着材の担持量にもよるが約６ヶ月が目安となる。また高性能ＨＥＰＡフィルターは通常２５ｍｍＡｑ以下で０．３μｍの粒子を９９．９７％除去できる能力を有するフィルターの総称である。
【００２１】
また上記実施例では、冷暖房を行わない時には、空気清浄機ユニットだけの単独運転もさせることができる。
【００２２】
また上記実施例では、光再生吸着フィルターを使用したが、本発明では加熱再生フィルターを使用することもできる。加熱再生では高シリカのゼオライト等吸着材とＰｔ、Ｐｄ等触媒金属を分散担持して、３００℃程度に加熱することで臭気は脱離することなく燃焼酸化分解が行われる。形状的には充分な吸着性能を得るため、コルゲートハニカムタイプが望ましい。
実施例では、高性能ＨＥＰＡフィルターを使用したが本発明で使用できるフィルターは高性能な集塵フィルターであり、ＨＥＰＡに準じたものでも圧力損失が大きいタイプのもの、具体的には１０ｍｍＡｑ以上のものを別な送風回路とすることが望ましい。
【００２３】
また上記実施例では、空気清浄機能用送風ファンとしてターボファンを使用したが、静圧の高いファンであればこれに限定されるものではない。この他シロッコファンも使用できる。しかし現状圧力損失  ５ｍｍＡｑ以上でも問題無く能力を発揮できるものはこれら以外見当たらない。
【００２４】
また上記実施例では、冷暖房用の冷暖房用室内ユニット送風回路には空気清浄機能のないものを示したが、圧力損失の小さなタイプであれば、冷暖房性能にほとんど影響しないので、従来通り空気清浄装置を配設することも可能である。
【００２５】
【発明の効果】
上記実施例から明らかなように、請求項１記載の発明によれば、大きな部屋の冷暖房機能と空気清浄機能を１つのユニットとして達成するとともに、部屋のインテリア性に合わせた生活提案が可能となった。また請求項２記載の発明によれば、クロスフローファンとすることによって上流に配置する横方向に長い熱交換器と効率的な熱交換が可能となった。また請求項３記載の発明によれば、ターボファンまたはシロッコファンとすることによって圧損の高いフィルターが風回路に配置されても静圧が高いので実機として不具合を生じることはない。
【図面の簡単な説明】
【図１】  本発明の実施例１における空気調和機の外観斜視図
【図２】  本発明の実施例１における空気調和機を下方から見た場合の外観図
【図３】  図１における空気調和機の据え付け状態を示す組立図
【図４】  図２におけるＧ−Ｇ線での縦断面図
【図５】  本発明の実施例２における空気調和機の外観斜視図
【図６】  本発明の実施例２における空気調和機を下方から見た場合の外観図
【図７】  本発明の実施例３における室空気調和機の外観斜視図
【図８】  本発明の実施例３における空気調和機を下方から見た場合の外観図
【図９】  従来長方形室内機の外観斜視図
【図１０】  従来長方形室内機Ｄ−Ｄ線での縦断面図
【図１１】  従来の１／４円弧形室内機の外観斜視図
【図１２】  従来の１／４円弧形室内機の平面外観図
【図１３】  従来の１／４円弧形室内機のＥ−Ｅ線での縦断面図
【符号の説明】
７０、９０、９２、１０２、１０４  冷暖房用室内ユニット
７１、９１、１０１、１０３  空気清浄機ユニット
７３  吸い込みグリル
７４  吹き出し口
７６  ターボファン
７７  高性能ＨＥＰＡフィルター
【図１】
0003861555.tif 000002
【図２】
0003861555.tif 000003
【図３】
0003861555.tif 000004
【図４】
0003861555.tif 000005
【図５】
0003861555.tif 000006
【図６】
0003861555.tif 000007
【図７】
0003861555.tif 000008
【図８】
0003861555.tif 000009
【図９】
0003861555.tif 000010
【図１０】
0003861555.tif 000011
【図１１】
0003861555.tif 000012
【図１２】
0003861555.tif 000013
【図１３】
0003861555.tif 000014